(57)【要約】【課題】応用される機器の筐体の表面にストロボ装置と発光素子の窓を別々に形成する必要がなく、応用される機器の操作性を向上させたストロボ装置、並びにこのようなストロボ装置を備える撮影装置及び無線通信端末を提供する。【解決手段】閃光を発する閃光素子１１、この閃光素子１１とは異なる種類の発光素子８、及び一方の面２６が外部に露出するレンズ６を筐体１０の内部に備えて、閃光素子１１が閃光を発した場合又は発光素子８が発光した場合のいずれであっても、その光がレンズ６を介して筐体１０の外部に放射されるようにしたことを特徴とする。【選択図】      図１
2005017814.tif 000002
【特許請求の範囲】
【請求項１】
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたことを特徴とするストロボ装置。
【請求項２】
少なくとも前記閃光素子の後方に透光部を有する反射鏡が設けられると共に、
前記発光素子が前記透光部の後方に配置されるようにしたことを特徴とする請求項１に記載のストロボ装置。
【請求項３】
前記透光部は、前記反射鏡に形成した開口部及び該開口部を覆うハーフミラー部材とにより構成されることを特徴とする請求項２に記載のストロボ装置。
【請求項４】
前記レンズは、前記一方の面とこの一方の面と反対側の他方の面との間の厚さ部分に前記発光素子からの光を取込むための導光部が形成されると共に、
前記発光素子が前記導光部の近傍に配置されるようにしたことを特徴とする請求項１に記載のストロボ装置。
【請求項５】
少なくとも前記閃光素子の後方に反射面を有する反射鏡が設けられて、
前記発光素子が前記反射鏡よりも前方に配置されると共に、反射鏡の反射面に向けて発光するようにしたことを特徴とする請求項１に記載のストロボ装置。
【請求項６】
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたストロボ装置を有することを特徴とする撮影装置。
【請求項７】
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたストロボ装置を有することを特徴とする無線通信端末。
【発明の詳細な説明】
【０００１】
【発明の属する技術分野】
本発明は、キセノン管のような閃光素子及び発光ダイオードのような発光素子の両方を備えるストロボ装置、並びにこのようなストロボ装置を有する撮影装置及び無線通信端末に関するものである。
【０００２】
【従来の技術】
従来の一般的なカメラには、キセノン管を用いたストロボ装置を備えるものが多くある。また、このようなストロボ装置と共に、発光ダイオードのような発光素子を実装しているものがある（例えば、特許文献１参照）。
【０００３】
このように、ストロボ装置と発光素子との両方をカメラの筐体の内部に備える場合には、それぞれからの光を放射させるための窓を、筐体の表面に別々に開口させる必要があった。そして、このようなカメラを利用するときには、これら両方の窓を手の指などで覆い隠さないように留意する必要があるが、専用機としてのカメラの機能は限定されているので、この筐体を保持する際に手の指を当接させることができる面積は大きいため、操作性に影響を与えるようなことはなかった。
【０００４】
一方、このような専用機としてのカメラとは別に、携帯電話機にも、その筐体内にＣＣＤ（Ｃｈａｒｇｅ  Ｃｏｕｐｌｅｄ  Ｄｅｖｉｃｅ）カメラ等の撮像機能、及び白色の発光ダイオードを用いたストロボ装置を設けるようにしたものがあった。
【０００５】
しかしながら、発光ダイオードのような発光素子のストロボ装置では、有効な照射距離が短いため、照射距離を長くするにはキセノン管のような閃光素子のストロボ装置を備える必要がある。
【０００６】
また、このような閃光素子のストロボ装置を備える場合には、発光ダイオードのような発光素子を設けて、その点灯や点滅の動作により、ストロボ装置が動作準備中であるか、又は準備が完了しているか等の動作状態を報知させる必要がある。
【０００７】
【特許文献１】
特開平１０−３０１１７０号公報
【０００８】
【発明が解決しようとする課題】
しかしながら、筐体は携帯性を高めるために極限まで小型化されているので、筐体の表面にストロボ装置と発光素子の窓を別々に形成すると、この筐体を保持する際に手の指を当接させることができる面積が小さくなってしまい、操作性が悪くなってしまうという問題点があった。
【０００９】
そこで本発明は、上記問題点に鑑みて、応用される機器の筐体の表面にストロボ装置と発光素子の窓を別々に形成する必要がなく、応用される機器の操作性を向上させたストロボ装置、並びにこのようなストロボ装置を備える撮影装置及び無線通信端末を提供することを課題とするものである。
【００１０】
【課題を解決するための手段】
上記課題を解決するために、本発明によるストロボ装置は、
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたことを特徴とするものである。
【００１１】
また、本発明によるストロボ装置は、
少なくとも前記閃光素子の後方に透光部を有する反射鏡が設けられると共に、
前記発光素子が前記透光部の後方に配置されるようにすることができる。
【００１２】
また、本発明によるストロボ装置は、
前記透光部は、前記反射鏡に形成した開口部及び該開口部を覆うハーフミラー部材とにより構成されるようにすることができる。
【００１３】
また、本発明によるストロボ装置は、
前記レンズは、前記一方の面とこの一方の面と反対側の他方の面との間の厚さ部分に前記発光素子からの光を取込むための導光部が形成されると共に、
前記発光素子が前記導光部の近傍に配置されるようにすることができる。
【００１４】
また、本発明によるストロボ装置は、
少なくとも前記閃光素子の後方に反射面を有する反射鏡が設けられて、
前記発光素子が前記反射鏡よりも前方に配置されると共に、反射鏡の反射面に向けて発光するようにすることができる。
【００１５】
また、本発明による撮影装置は、
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたストロボ装置を有することを特徴とするものである。
【００１６】
また、本発明による無線通信端末は、
閃光を発する閃光素子、この閃光素子とは異なる種類の発光素子、及び一方の面が外部に露出するレンズを筐体の内部に備えて、
前記閃光素子が閃光を発した場合又は前記発光素子が発光した場合のいずれであっても、その光が前記レンズを介して筐体の外部に放射されるようにしたストロボ装置を有することを特徴とするものである。
【００１７】
【発明の実施の形態】
以下、本発明に係るストロボ装置の実施の形態について、図面に基づいて具体的に説明する。
【００１８】
図１ないし図３は、本発明の第１の実施の形態に係るストロボ装置２について説明するために参照する図である。図１に示すように、このストロボ装置２は、保持具４、レンズ６（拡散板）、発光ダイオード８（発光素子）、金属製の反射鏡１０、キセノン管１１（閃光素子）を備えている。このストロボ装置２は、携帯電話機（無線通信端末）の筐体１０の内部に納められるようになっている。
【００１９】
ところで、この携帯電話機には、図示しないが、ストロボ装置２の他に、制御部、キー操作部、撮像素子、無線部、アンテナ、マイクロホン、スピーカーが備えられている。キー操作部により撮影を指示するモード移行が指示されると制御部は撮像素子を起動し、さらにキー操作部により撮影指示がなされると制御部はストロボ装置２に閃光を発させると共に撮像素子により撮影を行なう。
【００２０】
また、携帯電話機は無線部にて作り出した無線信号をアンテナにより出力し、さらにアンテナから入力された無線信号を無線部にて受信し、復号することにより通信ネットワークに接続可能であり、他の携帯電話機と通話やメールの送受信を行なうことができる。これらの制御についても制御部により行なわれる。
【００２１】
保持具４は、光の透過性（透光性）を有すると共に、電気的な絶縁性を有する樹脂材等により形成される。図１及び図２に示すように、保持具４は、矩形の天板１２、この天板１２と垂直の向きに互いに隣り合う４枚の側面板１４，１６，１８，２０、及び互いに向き合う一対の側面板１４，１８の内側に、これらと平行となるように配置される２枚の保持板２２，２４で形成される。そして、２枚の保持板２２，２４の間には、反射鏡１０が固定されるようになっている。なお、天板１２が透光性を持つことはいうまでもない。
【００２２】
図３に示すように、レンズ６は、その平面図における外形が矩形であって、ストロボ装置２を動作させたときに光を放射する側の面は、断面がプリズム形状になっている半径の異なる円環が同心円状に形成されることにより、光の拡散作用を奏する拡散面２６になっており、図１に示すように、この拡散面２６は、筐体１０の外側に露出するようになっている。そして、拡散面２６と反対側の固着面２８は、保持具４の天板１２に外側から固着するようになっている。
【００２３】
また、レンズ６の拡散面２６と固着面２８の間の厚さ部分のうち、レンズ６の長さ方向に互いに向き合う一対の側面２９には、この部分に外部から入射してくる光を拡散面２６側に屈折させるために、傾斜して形成される導光部３０が設けられるようになっている。
【００２４】
また、発光ダイオード８は、レンズ６の導光部３０の近傍に配置されて、保持具４の天板１２に固定されるようになっている。この発光ダイオード８から放射された光は、レンズ６内に導光部３０から入射するときに屈折して、レンズ６の拡散面２６から放射されるようになっている。
【００２５】
図１及び図２に示すように、反射鏡１０は、矩形の底面板３２及びこの底面板３２と互いに隣り合う４つの傾斜板３４，３６，３８，４０で構成される。底面板３２及び傾斜板３４，３６，３８，４０は、それぞれの内側を向く面が光を反射する反射面になっている。
【００２６】
また、反射鏡１０は、底面板３２の反対側が開放されており、４つの傾斜板３４，３６，３８，４０は、それぞれ底面板３２側から開放側に向かうにしたがい、その幅が広がるように形成されている。そして、この反射鏡１０は、傾斜板３４，３８のそれぞれにおける底面板３２とは反対側の縁が保持具４の保持板２２，２４の間に固定されるようになっている。
【００２７】
また、反射鏡１０には、互いに対向する一対の傾斜板３４，３８のそれぞれに孔部４２，４４が形成されており、この孔部４２，４４にキセノン管１１が挿入された状態で配置される。キセノン管１１は、その両端部の電極４６，４８が、反射鏡１０の傾斜板３４，３８の外側に突き出て配置されて、図示しない駆動回路と導通されるようになっている。
【００２８】
また、キセノン管１１の長さ方向の中央部分５０から発する閃光が、反射鏡１０の底面板３２及び傾斜板３４，３６，３８，４０の反射面に反射されてから、又は直接、保持具４の天板１２を透過した後、レンズ６により拡散されて放射するようになっている。
【００２９】
また、キセノン管１１が閃光を発するときには、このキセノン管１１と金属製の反射鏡１０との間に高電圧が発生するが、保持具４に絶縁性を有する樹脂材等が用いられていることにより、発光ダイオード８のように保持具４の外側にある部品が、静電破壊されないようになっている。
【００３０】
このようなストロボ装置２によれば、その動作状態等を報知するための発光ダイオード８を、このストロボ装置２にコンパクトに一体化することができる。
【００３１】
したがって、携帯電話機等の筐体１０内にストロボ装置２を配置する場合には、この筐体１０の表面にレンズ６の拡散面２６を露出させるための窓だけを設ければよく、発光ダイオード８からの光はレンズ６を介して放射されるので、この発光ダイオード８だけを外部から認識するための目的で、そのような窓を筐体１０に形成する必要がない。
【００３２】
また、このようなストロボ装置２によれば、筐体１０に、このストロボ装置２用の窓とは別に、発光ダイオード８用の窓を設ける必要がないので、この筐体１０を手で保持するときに指を当接させることができる面積を広げることができ、操作性を向上させることができる。
【００３３】
また、このストロボ装置２の動作状態等を報知する発光ダイオード８は、点灯や点滅したときの光が、キセノン管１１の閃光と同様にレンズ６から放射されるので、ユーザーは、発光ダイオード８の点灯や点滅を見たときに、これがストロボ装置２の動作状態等を報知しているものであると、直感的に認識することができる。
【００３４】
また、このストロボ装置２を備える携帯電話機の撮像素子（不図示）が撮影動作を行なうときに、キセノン管１１から閃光を発する前に、発光ダイオード８を発光させるようにすることにより、撮影した画像において被写体の瞳が赤く写ってしまうような現象を防止することができる。
【００３５】
次に、本発明の第２の実施の形態に係るストロボ装置について説明する。
図４は、本発明の第２の実施の形態に係るストロボ装置６０について説明するために参照する図である。図中において、前記第１の実施の形態に係るストロボ装置２と同様の部分には同じ符号を付して説明し、同様の構成についての重複する説明は省略するものとする。
【００３６】
この第２の実施の形態に係るストロボ装置６０において、レンズ６は、前記第１の実施の形態と異なり、その厚さ部分に前記導光部３０は形成されない。また、保持具４は、天板１２が厚さを有すると共に、その両端に発光ダイオード８を傾斜させて固定することができるように、傾斜部６２，６４が形成される。
【００３７】
そのため、発光ダイオード８から放射される光は、保持具４の天板１２を透過した後に、反射鏡１０の底面板３２及び傾斜板３４，３８の反射面を照射するようになっている。反射鏡１０に反射された発光ダイオード８の光は、保持具４の天板１２及びレンズ６を透過して外部に放射される。
【００３８】
また、反射鏡１０は、発光ダイオード８から放射される光が、より多く底面板３２に照射されるように、底面板３２から傾斜板３４，３６，３８，４０の開放側の縁までの深さが浅くなるように形成されている。
【００３９】
このようなストロボ装置６０によれば、前記第１の実施の形態と同様に、その動作状態等を報知するための発光ダイオード８を、このストロボ装置６０にコンパクトに一体化することができる。
【００４０】
したがって、携帯電話機等の筐体１０内にストロボ装置６０を配置する場合には、この筐体１０の表面にレンズ６の拡散面２６を露出させるための窓だけを設ければよく、発光ダイオード８からの光はレンズ６を介して放射されるので、この発光ダイオード８だけを外部から認識するための目的で、そのような窓を筐体１０に形成する必要がない。
【００４１】
また、このようなストロボ装置６０によれば、筐体１０に、このストロボ装置６０用の窓とは別に、発光ダイオード８用の窓を設ける必要がないので、この筐体１０を手で保持するときに指を当接させることができる面積を広げることができ、操作性を向上させることができる。
【００４２】
また、このストロボ装置６０の動作状態等を報知する発光ダイオード８は、点灯や点滅したときの光が、キセノン管１１の閃光と同様にレンズ６から放射されるので、ユーザーは、発光ダイオード８の点灯や点滅を見たときに、これがストロボ装置６０の動作状態等を報知しているものであると、直感的に認識することができる。
【００４３】
また、このストロボ装置６０を備える携帯電話機の撮像素子（不図示）が撮影動作を行なうときに、キセノン管１１から閃光を発する前に、発光ダイオード８を発光させるようにすることにより、撮影した画像において被写体の瞳が赤く写ってしまうような現象を防止することができる。
【００４４】
次に、本発明の第３の実施の形態に係るストロボ装置について説明する。
図５は、本発明の第３の実施の形態に係るストロボ装置７０について説明するために参照する図である。図中において、前記第１の実施の形態に係るストロボ装置２と同様の部分には同じ符号を付して説明し、同様の構成についての重複する説明は省略するものとする。
【００４５】
この第３の実施の形態に係るストロボ装置７０において、レンズ６は、前記第１の実施の形態と異なり、その厚さ部分に前記導光部３０は形成されない。また、保持具４は、その天板１２の外側の面においてレンズ６が固着されている領域を除いた領域が、携帯電話機の筐体１０の外殻に内側から接するようになっている。
【００４６】
そして、反射鏡１０の底面板３２の中央には開口部７２が形成されており、この開口部７２を、キセノン管１１とは反対側からハーフミラー部材７４が覆うようになって透光部を構成するようになっている。このハーフミラー部材７４には、透光性を有しかつ電気的に絶縁性を有する樹脂材が用いられており、配置したときに反射鏡１０に対向する面には、金属蒸着法等による金属膜が形成されていて、後述するようなハーフミラー効果を奏するようになっている。
【００４７】
また、発光ダイオード８は、前記第１の実施の形態とは異なり、ハーフミラー部材７４の後方であって、反射鏡１０の開口部７２に対応する位置に配置されるようになっている。
【００４８】
ハーフミラー部材７４は、キセノン管１１が閃光を発した場合には、反射鏡１０と同様に、光を反射するように作用するので、反射された光は保持具４の天板１２を透過してレンズ６から外側に放射される。また、ハーフミラー部材７４は、電気的に絶縁性を有するため、キセノン管１１と反射鏡１０の間に生じる高電圧により、発光ダイオード８が静電破壊されるのを防止するようになっている。
【００４９】
また、ハーフミラー部材７４は、発光ダイオード８が発光した場合には、その光を透過させるように作用するので、その光は保持具４の天板１２を透過してレンズ６から外側に放射される。なお、発光ダイオード８の光は、ハーフミラー部材７４を透過した後に、その一部がキセノン管１１を照射することになるが、キセノン管１１の中央部分５０は透明のガラス材であるため、光の透過が遮られることはない。
【００５０】
なお、第３の実施の形態では、反射鏡１０の底面部３２に開口部７２を形成し、これをハーフミラー部材７４で覆うように構成したが、このような構成とは別に、反射鏡自体を、透光性及び絶縁性を有する樹脂材を用いると共にその表面上にハーフミラー層（金属膜）を形成するような構成にし、ハーフミラー部材７４と反射鏡１０を一体的に構成してもよい。また、開口部７２の大きさを極力小さくすれば（例えば発光ダイオード８と略同寸法）、ハーフミラーに構成せずとも、キセノン管１１からの閃光を前方に反射させることは可能である。
【００５１】
このようなストロボ装置７０によれば、前記第１の実施の形態と同様に、その動作状態等を報知するための発光ダイオード８を、このストロボ装置７０にコンパクトに一体化することができる。
【００５２】
したがって、携帯電話機等の筐体１０内にストロボ装置７０を配置する場合には、この筐体１０の表面にレンズ６の拡散面２６を露出させるための窓だけを設ければよく、発光ダイオード８からの光はレンズ６を介して放射されるので、この発光ダイオード８だけを外部から認識するための目的で、そのような窓を筐体１０に形成する必要がない。
【００５３】
また、このようなストロボ装置７０によれば、筐体１０に、このストロボ装置７０用の窓とは別に、発光ダイオード８用の窓を設ける必要がないので、この筐体１０を手で保持するときに指を当接させることができる面積を広げることができ、操作性を向上させることができる。
【００５４】
また、このストロボ装置７０の動作状態等を報知する発光ダイオード８は、点灯や点滅したときの光が、キセノン管１１の閃光と同様にレンズ６から放射されるので、ユーザーは、発光ダイオード８の点灯や点滅を見たときに、これがストロボ装置の動作状態等を報知しているものであると、直感的に認識することができる。
【００５５】
また、このストロボ装置７０を備える携帯電話機の撮像素子（不図示）が撮影動作を行なうときに、キセノン管１１から閃光を発する前に、発光ダイオード８を発光させるようにすることにより、撮影した画像において被写体の瞳が赤く写ってしまうような現象を防止することができる。
【００５６】
なお、前記第１ないし第３の実施の形態においては、発光ダイオード８は、点灯や点滅の動作をすることにより、ストロボ装置２，６０，７０の動作状態等を報知するようになっているが、これ以外にも、通話や電子メール等の着信の報知や、セルフタイマーの撮影における時間計測の開始の報知などのように、様々な用途に利用することができる。
【００５７】
また、前記第１ないし第３の実施の形態においては、キセノン管１１の閃光により被写体を照射するようにしたが、被写体が近距離にあるような場合には、ユーザーの選択により、キセノン管１１に代えて、発光ダイオード８を発光させて被写体を照射することができるようにしてもよい。
【００５８】
また、前記第１ないし第３の実施の形態においては、閃光素子としてキセノン管１１を、発光素子として発光ダイオード８を用いるようにしたが、これら以外の閃光素子や発光素子を用いるようにしてもよい。
【００５９】
また、前記第１ないし第３の実施の形態においては、ストロボ装置２，６０，７０を携帯電話機の筐体１０の内部に設ける場合について説明したが、デジタルカメラ等の撮影装置や、撮像機能及び無線機能が備わっているＰＤＡ（Ｐｅｒｓｏｎａｌ  Ｄｉｇｉｔａｌ  Ａｓｓｉｓｔａｎｔ）のような携帯電話機以外の無線通信端末にも、同様の技術的思想に基づいて本発明を適用することができることはいうまでもない。
【００６０】
【発明の効果】
以上説明したように、本発明のストロボ装置によれば、応用される機器の筐体の表面にストロボ装置と発光素子の窓を別々に形成する必要がなく、応用される機器の操作性を向上させることができる。
【００６１】
また、撮影装置及び無線通信端末の筐体の表面にストロボ装置と発光素子の窓を別々に形成する必要がないので、撮影装置及び無線通信端末の操作性を向上させることができると共に、それらの小型化に寄与することができる。
【図面の簡単な説明】
【図１】本発明の第１の実施の形態に係るストロボ装置２を示す側面断面図である。
【図２】図１におけるレンズストロボ装置２の底面図である。
【図３】図１におけるレンズ６の平面図である。
【図４】本発明の第２の実施の形態に係るストロボ装置６０を示す側面断面図である。
【図５】本発明の第３の実施の形態に係るストロボ装置７０を示す側面断面図である。
【符号の説明】
２  ストロボ装置
４  保持具
６  レンズ（拡散板）
８  発光ダイオード（発光素子）
１０  反射鏡
１１  キセノン管（閃光素子）
１２  天板
１４，１６，１８，２０  側面板
２２，２４  保持板
２６  拡散面
２８  固着面
２９  側面
３０  導光部
３２  底面板
３４，３６，３８，４０  傾斜板
４２，４４  孔部
４６，４８  電極
５０  中央部分
６０  ストロボ装置
６２，６４  傾斜部
７０  ストロボ装置
７２  開口部
７４  ハーフミラー部材
【図１】
2005017814.tif 000003
【図２】
2005017814.tif 000004
【図３】
2005017814.tif 000005
【図４】
2005017814.tif 000006
【図５】
2005017814.tif 000007